(57)【要約】      （修正有）【課題】撮影して得た画像データを記録する際に、画像データの処理に用いる画像処理パラメータに関わらず、プレビュー観察に適した画像を表示する。【解決手段】撮像素子から得られた画像データを画像表示部に表示する電子ビューファインダ機能を有する撮像装置であって、撮像素子から得られた画像データを記録する際に、画像データの処理に用いる画像処理パラメータを設定する設定手段と、設定手段により設定された画像処理パラメータまたは予め決められた画像処理パラメータを用いて画像データを処理する画像処理回路と、シャッタースイッチがオンされる場合には、設定手段により設定された画像処理パラメータによる処理を行った画像データを電子ビューファインダ表示するとともに、シャッタースイッチがオフされる場合には、予め決められた画像処理パラメータによる処理を行った画像データを電子ビューファインダ表示する表示制御手段とを有する。【選択図】図１
2009232260.tif 000002
【特許請求の範囲】
【請求項１】
撮像素子から得られた画像データを画像表示部に表示する電子ビューファインダ機能を有する撮像装置であって、
前記撮像素子から得られた画像データを記録する際に、該画像データの処理に用いる画像処理パラメータを設定する設定手段と、
前記設定手段により設定された前記画像処理パラメータまたは予め決められた画像処理パラメータを用いて前記撮像素子から得られた画像データを処理する処理手段と、
シャッタースイッチがオンされる場合には、前記設定手段により設定された前記画像処理パラメータによる処理を行った画像データを電子ビューファインダ表示するとともに、シャッタースイッチがオフされる場合には、予め決められた前記画像処理パラメータによる処理を行った画像データを電子ビューファインダ表示する表示制御手段と
を有することを特徴とする撮像装置。
【請求項２】
撮像素子から得られた画像データを画像表示部に表示する電子ビューファインダ機能を有する撮像装置であって、
前記撮像素子から得られた画像データを記録する際に、該画像データの処理に用いる画像処理パラメータを設定する設定手段と、
前記設定手段により設定された前記画像処理パラメータまたは予め決められた画像処理パラメータを用いて前記撮像素子から得られた画像データを処理する処理手段と、
前記設定手段によりモノクロモードの画像処理パラメータが設定される場合には、シャッタースイッチがオンされることで、予め決められた前記画像処理パラメータによる処理を行った画像データを電子ビューファインダ表示する状態から前記モノクロモードの画像処理パラメータによる処理を行った画像データを電子ビューファインダ表示する状態に切り換えるとともに、前記設定手段により前記モノクロモード以外の画像処理パラメータが設定される場合には、シャッタースイッチのオン・オフに関わらず予め決められた前記画像処理パラメータによる処理を行った画像データを電子ビューファインダ表示する表示制御手段と
を有することを特徴とする撮像装置。
【請求項３】
前記予め決められた画像処理パラメータは、標準モード用の画像処理パラメータであることを特徴とする請求項１または２に記載の撮像装置。
【請求項４】
前記設定手段は、標準モードと、ポートレートモードと、モノクロモードとを少なくとも含む複数のモード用の画像処理パラメータのいずれかを設定することを特徴とする請求項１乃至３のいずれか１項に記載の撮像装置。
【請求項５】
撮像素子から得られた画像データを画像表示部に表示する電子ビューファインダ機能を有する撮像装置であって、
前記撮像素子から得られた画像データを記録する際の記録画像サイズを設定する設定手段と、
シャッタースイッチがオンされる場合には、電子ビューファインダ表示を行う前記画像表示部の表示領域の大きさを前記設定手段により設定された前記記録画像サイズに対応して変更するとともに、シャッタースイッチがオフされる場合には、前記設定手段により設定された前記記録画像サイズに関わらず、前記画像表示部の最大の表示領域にて電子ビューファインダ表示を行う表示制御手段とを有し、
前記記録画像サイズに対応する前記画像表示部の表示領域の大きさは、前記画像表示部の最大の表示領域を前記撮像素子の最大記録画像サイズとして相対的に決められることを特徴とする撮像装置。
【発明の詳細な説明】
【技術分野】
【０００１】
本発明は、撮像装置に関し、更に詳しくは、電子ビューファインダ機能を有する撮像装置に関する。
【背景技術】
【０００２】
デジタルカメラなどの撮像装置において、撮像素子から得られた画像データを逐次表示装置に表示する、所謂電子ビューファインダ（ＥＶＦ）機能を有するものが普及している。このような撮像装置では、予め設定されている画像処理パラメータを用いて被写体画像を処理し、電子ビューファインダ表示（ＥＶＦ表示）する。例えば、本撮影に用いる画像処理パラメータを用いることにより、撮影する前に事前に撮影後の画像に近い被写体画像を確認することができる（以下、「プレビューモード」と呼ぶ。）。
【０００３】
また、特開平７−９８４８０号公報では、撮影後に得られる写真のカラー画像に忠実なカラー画像を生成し、そのカラー画像を表示する表示手段を有するカメラに関する発明が開示されている。
【０００４】
【特許文献１】特開平７−９８４８０号公報
【発明の開示】
【発明が解決しようとする課題】
【０００５】
しかしながら、上述したプレビューモードでは、以下の様な問題点がある。例えば、本撮影で用いる画像処理パラメータとしてモノクロモードに設定されていると、ＥＶＦ表示される画像が白黒画像になり、被写体の色が分からないので主被写体を探しにくかったり、構図合わせがしにくい等の問題が生じる。
【０００６】
本発明は上記問題点を鑑みてなされたものであり、撮影して得た画像データを記録する際に、画像データの処理に用いる画像処理パラメータに関わらず、プレビュー時に観察に適した画像を表示することを目的とする。
【課題を解決するための手段】
【０００７】
上記目的を達成するために、撮像素子から得られた画像データを画像表示部に表示する電子ビューファインダ機能を有する本発明の撮像装置は、前記撮像素子から得られた画像データを記録する際に、該画像データの処理に用いる画像処理パラメータを設定する設定手段と、前記設定手段により設定された前記画像処理パラメータまたは予め決められた画像処理パラメータを用いて前記撮像素子から得られた画像データを処理する処理手段と、シャッタースイッチがオンされる場合には、前記設定手段により設定された前記画像処理パラメータによる処理を行った画像データを電子ビューファインダ表示するとともに、シャッタースイッチがオフされる場合には、予め決められた前記画像処理パラメータによる処理を行った画像データを電子ビューファインダ表示する表示制御手段とを有する。
【０００８】
また、別の構成によれば、撮像素子から得られた画像データを画像表示部に表示する電子ビューファインダ機能を有する撮像装置であって、前記撮像素子から得られた画像データを記録する際に、該画像データの処理に用いる画像処理パラメータを設定する設定手段と、前記設定手段により設定された前記画像処理パラメータまたは予め決められた画像処理パラメータを用いて前記撮像素子から得られた画像データを処理する処理手段と、前記設定手段によりモノクロモードの画像処理パラメータが設定される場合には、シャッタースイッチがオンされることで、予め決められた前記画像処理パラメータによる処理を行った画像データを電子ビューファインダ表示する状態から前記モノクロモードの画像処理パラメータによる処理を行った画像データを電子ビューファインダ表示する状態に切り換えるとともに、前記設定手段により前記モノクロモード以外の画像処理パラメータが設定される場合には、シャッタースイッチのオン・オフに関わらず予め決められた前記画像処理パラメータによる処理を行った画像データを電子ビューファインダ表示する表示制御手段とを有する。
【０００９】
また、別の構成によれば、撮像素子から得られた画像データを画像表示部に表示する電子ビューファインダ機能を有する撮像装置であって、前記撮像素子から得られた画像データを記録する際の記録画像サイズを設定する設定手段と、シャッタースイッチがオンされる場合には、電子ビューファインダ表示を行う前記画像表示部の表示領域の大きさを前記設定手段により設定された前記記録画像サイズに対応して変更するとともに、シャッタースイッチがオフされる場合には、前記設定手段により設定された前記記録画像サイズに関わらず、前記画像表示部の最大の表示領域にて電子ビューファインダ表示を行う表示制御手段とを有し、前記記録画像サイズに対応する前記画像表示部の表示領域の大きさは、前記画像表示部の最大の表示領域を前記撮像素子の最大記録画像サイズとして相対的に決められることを特徴とする。
【発明の効果】
【００１０】
本発明によれば、撮影して得た画像データを記録する際に、画像データの処理に用いる画像処理パラメータに関わらず、プレビュー時に観察に適した画像を表示することができる。
【発明を実施するための最良の形態】
【００１１】
以下、添付図面を参照して本発明を実施するための最良の形態を詳細に説明する。なお、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１２】
図１は、本発明の実施の形態における画像処理機能を有する撮像装置の構成を示すブロック図である。なお撮像装置としては、デジタルカメラ、デジタルビデオカメラ、カメラ付き携帯端末（カメラ付き携帯電話を含む）、スキャナ等があり、被写体光学像を変換して電気的な画像信号を出力可能なものであれば、本発明を適用することが可能である。
【００１３】
図１において、１００は撮像装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１４】
１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００１５】
２０は画像処理回路であり、Ａ／Ｄ変換器１６からのデータ或いはメモリ制御回路２２からのデータに対して所定の画素補間処理や色変換処理を行う。また、画像処理回路２０は、Ａ／Ｄ変換器１６から出力される画像データを用いて所定の演算処理を行う。そして、得られた演算結果に基づいてシステム制御回路５０が露光制御部４０、焦点調節部４２に対して、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００１６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００１７】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダ機能（ＥＶＦ機能）を実現することができる。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００１８】
３０は撮影した静止画像や動画像を格納するためのメモリであり、所定枚数の静止画像や所定時間の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００１９】
３２は適応離散コサイン変換（ＡＤＣＴ）等、公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。
【００２０】
４０は露光制御部であり、絞り機能を備えるシャッター１２を制御する。露光制御部４０は、フラッシュ装置４００と連携することによりフラッシュ調光機能も有する。４２は撮影レンズ１０のフォーカシングを制御する焦点調節部である。上述の通り、Ａ／Ｄ変換器１６からの画像データを画像処理回路２０によって演算した演算結果に基づき、システム制御回路５０が露光制御部４０及び焦点調節部４２を制御することにより、ＴＴＬ方式の露光制御及び焦点調節制御が実現される。
【００２１】
４４は撮影レンズ１０のズーミングを制御するズーム制御部、４６はバリア１０２の動作を制御するバリア制御部である。４８はコネクタであり、アクセサリーシューとも呼ばれる。このコネクタ４８には、フラッシュ装置４００との電気接点や機械的な固定手段が含まれる。
【００２２】
５０は撮像装置１００全体を制御するシステム制御回路、５２はシステム制御回路５０の動作用の定数、変数、プログラム等を記憶するメモリである。
【００２３】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、撮像装置１００の操作部近辺の、視認しやすい、単数あるいは複数箇所に設置されている。また、通知部５４は、その一部の機能が光学ファインダー１０４内に設置されている。
【００２４】
通知部５４の表示内容の内、ＬＣＤなどに表示するものとしては以下のものがある。まず、シングルショット／連写撮影表示、セルフタイマー表示等、撮影モードに関する表示がある。また、圧縮率表示、記録画素数表示、記録枚数表示、残撮影可能枚数表示等の記録に関する表示がある。また、シャッタースピード表示、絞り値表示、露出補正表示、フラッシュ表示、赤目緩和表示等の撮影条件に関する表示がある。その他に、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付・時刻表示なども行われる。
【００２５】
また、通知部５４の表示内容の内、光学ファインダー１０４内に表示するものとしては、合焦表示、手ぶれ警告表示、フラッシュ充電表示、シャッタースピード表示、絞り値表示、露出補正表示などがある。
【００２６】
５６は電気的に消去・記録可能な不揮発性メモリであり、例えばＥＥＰＲＯＭ等が用いられる。
【００２７】
６０、６２、６４、７０、７２、７４、７６は、システム制御回路５０の各種の動作指示を入力するための操作手段であり、スイッチやダイアル、タッチパネル、視線検知によるポインティング、音声認識装置等の単数或いは複数の組み合わせで構成される。
【００２８】
ここで、これらの操作手段の具体的な説明を行う。
【００２９】
６０はモードダイアルであり、これにより撮影モードを設定できる。また、モードダイアル６０は、カメラを不作動にするＯＦＦポジション、プログラムＡＥモード、シャッター速度優先ＡＥモード、絞り優先ＡＥモード、マニュアル露出モードを等の各機能モードを切り替え設定することができる。
【００３０】
６２はシャッタースイッチＳＷ１で、不図示のシャッターボタンの途中操作でＯＮとなり、ＡＦ処理、ＡＥ処理、ＡＷＢ処理、ＥＦ処理等の動作開始を指示する。
【００３１】
６４はシャッタースイッチＳＷ２で、不図示のシャッターボタンの操作完了でＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介して画像データをメモリ３０に書き込み、更に、画像処理回路２０やメモリ制御回路２２での演算を用いた現像処理が行われる。更に、メモリ３０から画像データを読み出し、圧縮・伸長回路３２で圧縮を行い、記録媒体２００あるいは２１０に画像データを書き込む記録処理が行われる。
【００３２】
７０はメニューボタンであり、メニューボタン７０の押下によりメニュー画面が表示され、各種メニュー項目の設定・変更・確認等を行うことができる。
【００３３】
７６はセットボタンであり、メニュー画面での項目の確定操作や、項目の設定内容の確定操作を行うことができる。
【００３４】
また、システム制御回路５０の各種の動作指示を入力するための操作手段については、本発明とは直接関係しないが、マクロボタン、フラッシュ設定ボタン、等が含まれる。
【００３５】
８０は電源制御部で、電池検出回路、ＤＣ−ＤＣコンバータ、通電するブロックを切り替えるスイッチ回路等により構成されている。電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３６】
８２、８４はコネクタ、８６はアルカリ電池やリチウム電池等の一次電池やＮｉＣｄ電池やＮｉＭＨ電池、Ｌｉ−ｉｏｎ電池、Ｌｉポリマー電池等の二次電池、ＡＣアダプター等からなる電源部である。
【００３７】
９０はメモリカードやハードディスク等の記録媒体とのインタフェース、９２はメモリカードやハードディスク等の記録媒体と接続を行うコネクタである。９８はコネクタ９２に記録媒体２００が装着されているか否かを検知する記録媒体着脱検知回路である。
【００３８】
なお、本実施の形態では記録媒体を取り付けるインタフェース及びコネクタを１系統持つものとして説明しているが、記録媒体を取り付けるインタフェース及びコネクタは、複数の系統数を備える構成としても構わない。また、異なる規格のインタフェース及びコネクタを組み合わせて備える構成としても構わない。
【００３９】
１０２は、撮像装置１００のレンズ１０を含む撮像部を覆う事により、撮像部の汚れや破損を防止する保護装置であるバリアである。
【００４０】
１０４は光学ファインダであり、この光学ファインダー１０４を利用することにより、画像表示部２８によって構成されるＥＶＦ機能を利用することなく、撮影を行うことができる。また、光学ファインダー１０４内には、通知部５４の一部の機能、例えば、合焦状態、手振れ警告、フラッシュ充電、シャッタースピード、絞り値、露出補正などが表示される。
【００４１】
２００はメモリカードやハードディスク等の着脱可能な記録媒体である。
【００４２】
４００はフラッシュ装置である。４０２はフラッシュ装置４００を撮像装置１００のアクセサリーシューと接続するためのコネクタである。４０４は発光部であり、ＡＦ補助光の投光機能、フラッシュ調光機能も有する。
【００４３】
＜第１の実施形態＞
次に、本発明の第１の実施形態における撮像装置１００の主ルーチンの動作を、図２を参照して説明する。
【００４４】
電池交換に伴う電源投入等に従って、システム制御回路５０は、ステップＳ１０１において、フラグや制御変数等を初期化する。ここでは、現像処理は標準モードに、電子音はオンとして初期化される。
【００４５】
次に、ステップＳ１０２において、システム制御回路５０は、モードダイアル６０の設定位置を判断する。モードダイアル６０が「ＯＦＦ」に設定されている場合はステップＳ１０３に進み、所定の終了処理を行う。終了処理としては、バリア１０２を閉じて撮像部を保護し、フラグや制御変数等を含む必要なパラメータや設定値、設定モードを不揮発性メモリ５６に記録する。更に、システム制御回路５０は、電源制御部８０により画像表示部２８を含む撮像装置１００各部の不要な電源を遮断する等の所定の終了処理を行った後、ステップＳ１０２に戻る。
【００４６】
一方、モードダイアル６０が「ＯＦＦ」以外に設定されている場合はステップＳ１０４に進む。
【００４７】
ステップＳ１０４では、システム制御回路５０は、メニューボタン７０の状態を確認する。そして、メニューボタン７０が押されている場合はステップＳ１０５に進み、メニューボタン７０が押されていない場合はステップＳ１０６に進む。
【００４８】
ステップＳ１０５では、システム制御回路５０は、メニュー処理を行う。メニュー処理において、現像処理の設定（画像処理パラメータの選択）と画像サイズの設定等に関わる変更操作が行われる。なお、ステップＳ１０５におけるメニュー処理の詳細は、図７を参照して後述する。メニュー処理が終了するとステップＳ１０２に戻る。
【００４９】
ステップＳ１０６では、システム制御回路５０は、通知部５４を用いて画像や音声により撮像装置１００の各種設定状態を出力する。また、画像表示部２８を利用して撮像装置１００の各種設定状態の表示を行ってもよい。そして、ステップＳ１０７に進む。
【００５０】
ステップＳ１０７では、システム制御回路５０は、第１モードで電子ビューファインダ表示（ＥＶＦ表示）を行うように表示制御する。具体的には、第１モードでは、標準モードに対応する画像処理パラメータを選択し、この選択した画像処理パラメータを用いて画像を現像処理するように画像処理回路２０を制御し、得られた画像を画像表示部２８にＥＶＦ表示する。第１モードで電子ビューファインダ表示を行う際には、設定された記録画像サイズに関わらず、画像表示部２８の全表示領域を使用して得られた画像をＥＶＦ表示する。
【００５１】
ステップＳ１０８では、システム制御回路５０は、シャッタースイッチＳＷ１（６２）の状態を確認し、シャッタースイッチＳＷ１（６２）がＯＦＦである場合はステップＳ１０２に戻る。一方、シャッタースイッチＳＷ１（６２）がＯＮである場合はステップＳ１０９に進む。
【００５２】
ステップＳ１０９では、システム制御回路５０は、焦点調節処理を行って、撮影レンズ１０の焦点を被写体までの距離に応じて調節すると共に、測光処理を行って、絞り値及びシャッター時間を決定する。この測光処理では、必要であればフラッシュの設定も行う。この焦点調節・測光処理（ステップＳ１０９）の詳細は図３を用いて後述する。
【００５３】
ステップＳ１１０では、システム制御回路５０は、現在設定されている現像処理の設定内容（画像処理パラメータ）および記録画像サイズの設定内容を取得する。
【００５４】
ステップＳ１１１では、システム制御回路５０は、第２モードでＥＶＦ表示を行うように表示制御する。具体的には、第２モードでは、ステップＳ１１０で取得した現像処理の設定内容（画像処理パラメータ）を選択し、この選択した画像処理パラメータを用いて画像を現像処理するように画像処理回路２０を制御し、得られた画像を画像表示部２８にＥＶＦ表示する。第２モードで電子ビューファインダ表示を行う際には、設定された記録画像サイズによって画像表示部２８での画像表示範囲が異なる。より具体的には、記録画像サイズが最大のＬサイズ（４０００Ｘ３０００）に設定されている場合には画像表示部２８の全表示領域を使用して得られた画像をＥＶＦ表示する。記録画像サイズがＭサイズ（２５９２Ｘ１９４４）に設定されている場合には画像表示部２８の最大の表示領域をＬサイズの大きさと仮定したときのＭサイズの大きさの領域にだけ得られた画像をＥＶＦ表示する。同様に、記録画像サイズがＳサイズ（１６００Ｘ１２００）に設定されている場合には画像表示部２８の最大の表示領域をＬサイズの大きさと仮定したときのＳサイズの大きさの領域にだけ得られた画像をＥＶＦ表示する。すなわち、設定された記録画像サイズに対応する画像表示部２８の表示領域の大きさは、画像表示部２８の最大の表示領域を撮像素子１４の最大記録画像サイズとして相対的に決められている。
【００５５】
図８は設定された記録画像サイズによってＥＶＦ表示されるサイズが異なることを説明する図である。同様に、図８（ｂ）は記録画像サイズがＭサイズに設定される場合、図８（ｃ）は記録画像サイズがＳサイズに設定される場合のＥＶＦ表示を示した図である。このように、設定された記録画像サイズがＭサイズもしくはＳサイズの場合には画像表示部２８の一部の領域にしかＥＶＦ表示されない。このような表示を行うことで、第２モードにてＥＶＦ表示を行う際には現在設定されている記録画像サイズを直感的に意識することができる。また、第１モードでは設定されている記録画像サイズに関わらず、全画面にてＥＶＦ表示されるので、記録画像サイズを小さくしたときにフレーミングに苦慮することもない。
さらに、第２モードでは、現像処理の設定内容が標準モードであれば標準モード用の画像処理パラメータを用いて現像処理した画像をＥＶＦ表示する。また、現像処理の設定内容がポートレートモードであればポートレートモード用の画像処理パラメータを用いて現像処理した画像をＥＶＦ表示する。更に、現像処理の設定内容がモノクロモードであればモノクロモード用の画像処理パラメータを用いて現像処理した画像をＥＶＦ表示することになる。
【００５６】
ステップＳ１１２では、システム制御回路５０は、シャッタースイッチＳＷ１の状態を確認し、シャッタースイッチＳＷ１（６２）がＯＦＦ状態であれば、ステップＳ１０２に戻る。シャッタースイッチＳＷ１（６２）がＯＮ状態であれば、ステップＳ１１３で、更にシャッタースイッチＳＷ２（６４）の状態を確認する。シャッタースイッチＳＷ２（６４）がオフ状態であればステップＳ１１２に戻り、オン状態であればステップＳ１１４に進む。
【００５７】
ステップＳ１１４では、システム制御回路５０は、システム制御回路５０は撮影処理を実行する。この撮影処理では、撮像素子１４、Ａ／Ｄ変換器１６、画像処理回路２０、メモリ制御回路２２を介して、或いはＡ／Ｄ変換器１６から直接メモリ制御回路２２を介して、メモリ３０に撮影した画像データを書き込む。なお、この撮影処理（ステップＳ１１４）の詳細は、図４を用いて後述する。
【００５８】
撮影処理が終了するとステップＳ１１５に進み、システム制御回路５０は、シャッター１２を閉じた状態で撮像素子１４の暗電流等のノイズ成分を本撮影と同じ時間蓄積し、蓄積を終えたノイズ画像信号を読み出すダーク取り込み処理を行う。このダーク取り込み処理で取り込んだダーク画像データを用いて補正演算処理を行うことにより、撮像素子１４が発生する暗電流ノイズや撮像素子１４固有のキズによる画素欠損等の画質劣化を低減することができる。このダーク取り込み処理（ステップＳ１１５）の詳細は図５を用いて後述する。
【００５９】
次に、ステップＳ１１６において、システム制御回路５０は、メモリ３０の所定領域へ書き込まれた画像データの一部をメモリ制御回路２２を介して読み出す。そして、現像処理を行うために必要なＷＢ（ホワイトバランス）積分演算処理、ＯＢ（オプティカルブラック）積分演算処理を行い、その演算結果をシステム制御回路５０の内部メモリ或いはメモリ５２に記憶する。その後、システム制御回路５０は、メモリ制御回路２２、及び必要に応じて画像処理回路２０を用いて、メモリ３０の所定領域に書き込まれた撮影画像データを読み出す。そして、システム制御回路５０の内部メモリ或いはメモリ５２に記憶した演算結果を用いて、ＡＷＢ処理、ガンマ変換処理、色変換処理を含む各種現像処理を行う。
【００６０】
さらに、現像処理においては、ダーク取り込み処理において取り込んだダーク画像データを用いて減算処理を行うことにより、撮像素子１４の暗電流ノイズ等を打ち消すダーク補正演算処理も併せて行う。この現像処理（ステップＳ１１６）の詳細は図６を用いて後述する。
【００６１】
ステップＳ１１７では、システム制御回路５０は、メモリ３０の所定領域に書き込まれた画像データを読み出して、設定されたモードに応じた画像圧縮処理を圧縮・伸長回路３２により行う。そして、圧縮した画像データをメモリ３０の画像記憶バッファ領域の空き画像部分に書込む。
【００６２】
ステップＳ１１８では、システム制御回路５０は、シャッタースイッチＳＷ１（６２）がＯＦＦになるのを待ち、シャッタースイッチＳＷ１（６２）がＯＦＦになるとステップＳ１０２に戻る。
【００６３】
図３は、図２のステップＳ１０９における焦点調節・測光処理の詳細なフローチャートを示す。
【００６４】
ステップＳ２０１では、システム制御回路５０は、撮像素子１４から電荷信号を読み出し、Ａ／Ｄ変換器１６を介して画像データとして画像処理回路２０に逐次読み込む。この逐次読み込まれた画像データを用いて、画像処理回路２０はＴＴＬ方式のＡＥ処理、ＥＦ処理、ＡＦ処理に用いる所定の演算を行う。
【００６５】
なお、上記の各処理では、撮影した全画素数のうちの必要な部分を切り取るようにして抽出して演算に用いる。これにより、ＴＴＬ方式のＡＥ、ＥＦ、ＡＷＢ、ＡＦの各処理において、中央重点モード、平均モード、評価モード等の各モードに適合した最適な演算を行うことできる。
【００６６】
ステップＳ２０２では、システム制御回路５０は、画像処理回路２０での演算結果に基づいて、露出（ＡＥ）が適正であるか否かを判断し、適正でないならば、ステップＳ２０３に進み、露光制御部４０にＡＥ制御を実行させる。
【００６７】
ステップＳ２０４では、システム制御回路５０は、ＡＥ制御で得られた測定データを用いて、フラッシュの発光が必要か否かを判断し、フラッシュの発光が必要ならば、ステップＳ２０５で、フラッシュフラグをセットし、フラッシュ装置４００を充電する。
【００６８】
ステップＳ２０２で、露出（ＡＥ）が適正と判断したならば、測定データ及び／或いは設定パラメータをシステム制御回路５０の内部メモリ或いはメモリ５２に記憶する。
【００６９】
ステップＳ２０６では、システム制御回路５０は、画像処理回路２０での演算結果及びＡＥ制御で得られた測定データを用いて、ホワイトバランス（ＡＷＢ）が適正であるか否かを判断する。そして、適正でないならば、画像処理回路２０に、色処理のパラメータを調節するＡＷＢ制御を実行させる。
【００７０】
ステップＳ２０６で、ホワイトバランス（ＡＷＢ）が適正であると判断したならば、測定データ及び／或いは設定パラメータをシステム制御回路５０の内部メモリ或いはメモリ５２に記憶する。
【００７１】
ステップＳ２０８では、システム制御回路５０は、ＡＥ制御及びＡＷＢ制御で得られた測定データを用いて、焦点調節（ＡＦ）の結果が合焦であるか否かを判断する。そして、合焦状態でなかったならば、ステップＳ２０９で、焦点調節部４２にＡＦ制御を実行させる。
【００７２】
そして、ステップＳ２０８で、焦点調節（ＡＦ）の結果が合焦であると判断したならば、測定データ及び／或いは設定パラメータをシステム制御回路５０の内部メモリ或いはメモリ５２に記憶し、焦点調節・測光処理ルーチン（ステップＳ１０９）を終了する。
【００７３】
図４は、図２のステップＳ１１４における撮影処理の詳細なフローチャートを示す。
【００７４】
まず、ステップＳ３０１で、システム制御回路５０は、撮像素子１４の電荷クリア動作を行い、ステップＳ３０２で、撮像素子１４の電荷蓄積を開始する。更に、ステップＳ３０３で露光制御部４０によってシャッター１２を開き、ステップＳ３０４で、撮像素子１４の露光を開始する。
【００７５】
ステップＳ３０５では、システム制御回路５０は、フラッシュ・フラグを参照してフラッシュ装置４００が必要であるか否かを判断し、必要である場合はフラッシュを発光させる。なお、フラッシュ装置４００を使用しない場合はステップＳ３０７に進む。
【００７６】
ステップＳ３０７では、システム制御回路５０は、測光データに従った撮像素子１４の露光終了を待ち、その後、ステップＳ３０８で、露光制御部４０によってシャッター１２を閉じて、撮像素子１４の露光を終了する。
【００７７】
ステップＳ３０９では、システム制御回路５０は、設定された電荷蓄積時間が経過するのを待ち、その後、ステップＳ３１０で、システム制御回路５０は、撮像素子１４による電荷蓄積を終了させる。次いで、ステップＳ３１１では、撮像素子１４から電荷信号を読み出し、Ａ／Ｄ変換器１６、画像処理回路２０、メモリ制御回路２２を介して、或いはＡ／Ｄ変換器１６及びメモリ制御回路２２を介して、撮影画像データとしてメモリ３０の所定領域に書き込む。一連の処理を終えたならば、撮影処理ルーチン（ステップＳ１１４）を終了する。
【００７８】
図５は、図２のステップＳ１１５におけるダーク取り込み処理の詳細なフローチャートを示す。
【００７９】
ステップＳ４０１で、システム制御回路５０は、撮像素子１４の電荷クリア動作を行った後に、ステップＳ４０２で、シャッター１２が閉じた状態で、撮像素子１４の電荷蓄積を開始する。
【００８０】
ステップＳ４０３では、システム制御回路５０は、設定された所定の電荷蓄積時間が経過するのを待ち、その後、ステップＳ４０４で、システム制御回路５０は、撮像素子１４の電荷蓄積を終了させる。そして、ステップＳ４０５では、撮像素子１４から電荷信号を読み出し、Ａ／Ｄ変換器１６、画像処理回路２０、メモリ制御回路２２を介して、或いはＡ／Ｄ変換器１６及びメモリ制御回路２２を介して、ダーク画像データとしてメモリ３０の所定領域に書き込む。
【００８１】
このようにして得られたダーク画像データは、上述した図２のステップＳ１１４で得られた撮影画像データの現像処理を行う際に用いられる。このダーク取り込みデータを用いて現像処理を行うことにより、撮像素子１４が発生する暗電流ノイズや撮像素子１４固有のキズによる画素欠損等の画質劣化を低減することができる。なお、このダーク画像データは、新たにダーク取り込み処理が行われるか、撮像装置１００の電源がＯＦＦにされるまで、メモリ３０の所定領域に保持される。
【００８２】
或いは、メモリ３０の一部或いは全部をＥＥＰＲＯＭやハードディスク等の不揮発性メモリで構成し、ダーク画像データを該不揮発性メモリに書き込む構成とすることにより、新たにダーク取り込み処理が行われるまで、このダーク画像データ保存してもよい。
【００８３】
一連の処理を終えたならば、ダーク取り込み処理ルーチン（ステップＳ１１５）を終了する。
【００８４】
図６は、図２のステップＳ１１６における現像処理の詳細なフローチャートを示す。
【００８５】
システム制御回路５０は、メモリ３０に書き込まれた撮影画像データ及びダーク画像データを読み出して、ステップＳ５０１で輝度信号処理を行い、ステップＳ５０２で、色処理を施す。そして、ステップＳ５０３で、サムネイル画像処理を順次行った後、処理を終えた画像データをメモリ３０に書き込む。
【００８６】
本第１の実施形態では、現像処理として、標準モード、ポートレートモード、モノクロモードの少なくとも３種類の特性を持った現像処理が選択可能であるものとする。
【００８７】
標準モードの現像処理は、鮮やかな画像特性を持つ。ポートレートモードの現像処理は、肌色がきれいな画像特性を持つ。モノクロモードの現像処理は、白黒の画像特性を持つ。
【００８８】
現像処理の切り替えは、図２のステップＳ１０５で行われ、本第１の実施形態では後述するメニュー処理において設定内容の変更が可能である。
【００８９】
一連の処理を終えたならば、現像処理ルーチン（ステップＳ１１６）を終了する。
【００９０】
図７は、図２のステップＳ１０５におけるメニュー処理における詳細な遷移図である。
【００９１】
６０１と６０２は、メニュー処理において、メニュー項目を一覧表示して、変更すべき項目を選択するための項目選択状態であり、６０１は、現像処理機能が選択されている状態を、６０２は、電子音機能が選択されている状態を示している。
【００９２】
状態６０１において、システム制御回路５０は、メニューボタン７０、セットボタン７６、移動＋ボタン７２の状態を確認する。
【００９３】
メニューボタン７０が押されると、メニュー処理を終了し、図２のステップＳ１０２の処理にリターンする。移動＋ボタン７２が押されると、状態６０２に遷移し、セットボタン７６が押されると、変更する項目を現像処理機能に確定し、現像処理機能の内容を変更するために、６１０〜６１２のいずれかの状態に遷移する。
【００９４】
また、状態６０２では、システム制御回路５０は、メニューボタン７０、セットボタン７６、移動−ボタン７４の状態を確認する。
【００９５】
メニューボタン７０が押されると、メニュー処理を終了し図２のステップＳ１０２の処理にリターンする。移動−ボタン７４が押されると、状態６０１に遷移し、セットボタン７６が押されると、変更する項目を電子音機能に確定し、電子音機能の内容を選択するために、６２０または６２１の状態に遷移する。
【００９６】
状態６１０〜６１２では、現像処理機能の内容を変更する処理を行う。状態６０１から遷移した直後では、現像処理は現在設定されているモードが選択されている状態（状態６１０〜６１２のいずれか）となる。そして、システム制御回路５０は、セットボタン７６、移動＋ボタン７２、移動−ボタン７４の状態を確認し、移動−ボタン７４が押される度に、現像処理を、標準モード→ポートレートモード→モノクロモード→標準モードのように切り替える。また、移動＋ボタン７２が押される度に、現像処理を、モノクロモード→ポートレートモード→標準モード→モノクロモードのように切り替える。
【００９７】
状態６１０〜６１２においてセットボタン７６が押されると、現像処理の設定内容を確定し、状態６０１に戻る。
【００９８】
一方、状態６２０、６２１では、記録画像サイズの内容を変更する処理を行う。状態６０２から遷移した直後では、記録画像サイズは現在の設定が選択されている状態（状態６２０または６２１）となる。そして、システム制御回路５０は、セットボタン７６、移動＋ボタン７２、移動−ボタン７４の状態を確認し、移動−ボタン７４が押される度に、記録画像サイズをＬ→Ｍ→Ｓ→Ｌのように、記録画像サイズが小さくなる方向に切り替える。また、移動＋ボタン７２が押される度に、電子音機能をＳ→Ｍ→Ｌ→Ｓのように、記録画像サイズが大きくなる方向に切り替える。
【００９９】
状態６２０または６２１においてセットボタン７６が押されると、記録画像サイズの設定内容を確定し、状態６０２に戻る。
【０１００】
上記の通り、本第１の実施形態によれば、シャッタースイッチＳＷ１（６２）がオフされている間は、標準モードで現像処理した画像をＥＶＦ表示する（第１モード）。そして、シャッタースイッチＳＷ１（６２）がオンされると、現在設定されている現像処理および記録画像サイズの設定内容を取得し、現像処理の設定内容に基づいて現像処理するとともに、画像サイズを反映させた画像をＥＶＦ表示する（第２モード）。つまり、第２モードでは、現像処理の設定内容が標準モードであれば標準モードで現像処理した画像をＥＶＦ表示し、現像処理の設定内容がポートレートモードであればポートレートモードで現像処理した画像をＥＶＦ表示する。また、現像処理の設定内容がモノクロモードであればモノクロモードで現像処理した画像をＥＶＦ表示するように機能させる。さらに、設定された記録画像サイズがＬサイズの場合には、画像表示部２８の全表示領域を使用してＥＶＦ表示される。設定された記録画像サイズがＭサイズまたはＳサイズの場合には、画像表示部２８の画面全体をＬサイズのしたときのＭサイズまたはＳサイズの大きさでＥＶＦ表示される。
【０１０１】
このように、シャッター操作がされていない間は、標準モードで現像処理された画像がＥＶＦ表示されるため、プレビュー時には、より見易い画像をＥＶＦ表示として提供することができる。また、撮影準備に入ると、設定された現像処理および記録画像サイズに従って、撮影後に得られる画像をＥＶＦ表示するため、実際に得られる画像を撮影前に確認することが可能となり、より利便性の高い撮像装置を提供することができる。
【０１０２】
＜第２の実施形態＞
次に、本発明の第２の実施形態について説明する。
【０１０３】
上述した第１の実施の形態では、シャッタースイッチＳＷ１がオフされている間は、標準モードで現像処理した画像をＥＶＦ表示し、シャッタースイッチＳＷ１が押されると、設定された現像処理に従って処理した画像をＥＶＦ表示する。
【０１０４】
これに対し、本第２の実施形態においては、シャッタースイッチＳＷ１がオフされている間は、標準モードで現像処理した画像をＥＶＦ表示する。そして、シャッタースイッチＳＷ１が押されると、現像処理の設定内容がモノクロモードに設定されている場合のみ、モノクロモードで現像処理した画像をＥＶＦ表示するようにしたものである。
【０１０５】
次に、本第２の実施形態における撮像装置１００の主ルーチンの動作を、図９を参照して説明する。なお、図２を参照して上述した、第１の実施形態における主ルーチンの処理とは、ステップＳ１０９における焦点調節・測光処理の後にステップＳ７１０及び７１１の処理が入るところが異なる。これ以外の処理は図２と同様であるため、同じ参照番号を付し、説明を省略する。
【０１０６】
ステップＳ１０９で焦点調節・測光処理を終えると、ステップＳ７１０において、システム制御回路５０は、現在設定されている現像処理の設定内容を判別する。ここで、モノクロモードが設定されている場合はステップＳ７１１に進み、モノクロモードの画像処理パラメータ以外が設定されていれば、ステップＳ１１２に進む。
【０１０７】
ステップＳ７１１では、システム制御回路５０は、モノクロモードで現像処理した画像をＥＶＦ表示する。
【０１０８】
上記の通り、本第２の実施形態では、シャッタースイッチＳＷ１（６２）がオフされている間は、標準モードで現像処理した画像をＥＶＦ表示する（第１モード）。そして、シャッタースイッチＳＷ１（６２）がオンされると、モノクロモードが設定されている場合に、モノクロモードで現像処理した画像をＥＶＦ表示する。モノクロモード以外の画像処理パラメータが設定される場合には、シャッタースイッチのオン・オフに関わらず標準モードの画像処理パラメータにて処理した画像をＥＶＦ表示する。
【０１０９】
このように、シャッター操作がされていない間は、標準モードで現像処理された画像がＥＶＦ表示されるため、プレビュー時には、より見易い画像をＥＶＦ表示として提供することができる。また、撮影準備に入ると、モノクロモードが設定されている場合には、撮影後に得られるモノクロ画像をＥＶＦ表示するため、実際に得られる画像を撮影前に確認することが可能となり、より利便性の高い撮像装置を提供することができる。
【図面の簡単な説明】
【０１１０】
【図１】本発明の実施の形態における撮像装置の構成を示すブロック図である。
【図２】本発明の第１の実施形態における主ルーチンを示すフローチャートである。
【図３】本発明の第１の実施形態における焦点調節・測光ルーチンのフローチャートである。
【図４】本発明の第１の実施形態における撮影ルーチンのフローチャートである。
【図５】本発明の第１の実施形態におけるダーク取り込みルーチンのフローチャートである。
【図６】本発明の第１の実施形態における現像処理ルーチンのフローチャートである。
【図７】本発明の第１の実施形態のメニュー処理における状態遷移図である。
【図８】本発明の第１の実施形態における設定された記録画像サイズによるＥＶＦ表示の変化を説明する図である。
【図９】本発明の第２の実施形態における主ルーチンを示すフローチャートである。
【符号の説明】
【０１１１】
１０：撮影レンズ、１２：シャッター、１４：撮像素子、１６：Ａ／Ｄ変換器、１８：タイミング発生回路、２０：画像処理回路、２２：メモリ制御回路、２４：画像表示メモリ、２６：Ｄ／Ａ変換器、２８：画像表示部、３０：メモリ、３２：圧縮伸長回路、４０：露光制御部、４２：焦点調節部、４４：ズーム制御部、４６：バリア制御部、４８：コネクタ（アクセサリシュー）、５０：システム制御回路、５２：メモリ、５４：通知部、５６：不揮発性メモリ、６０：モードダイアル、６２：シャッタースイッチＳＷ１、６４：シャッタースイッチＳＷ２、７０：メニューボタン、７２：移動＋ボタン、７４：移動−ボタン、７６：セットボタン、８０：電源制御部、８２、８４：コネクタ、８６：電源、９０：入出力Ｉ／Ｆ、９２：コネクタ、９８：記録媒体着脱検知部、１００：撮像装置、１０２：バリア、１０４：光学ファインダ、２００：記録媒体、４００：フラッシュ装置、４０２：コネクタ、４０４：フラッシュ
【図１】
2009232260.tif 000003
【図２】
2009232260.tif 000004
【図３】
2009232260.tif 000005
【図４】
2009232260.tif 000006
【図５】
2009232260.tif 000007
【図６】
2009232260.tif 000008
【図７】
2009232260.tif 000009
【図８】
2009232260.tif 000010
【図９】
2009232260.tif 000011